(57)【要約】【課題】ユーザが正しくない通話スタイルで端末装置を使おうとしていることを、ユーザに知らせることが可能な端末装置、報知方法およびプログラムを提供する。【解決手段】通話機能を実行する通話手段を備えた端末装置は、筐体と、筐体の第１の面に設けられた表示手段と、筐体の面のうち第１の面の裏側の第２の面に設けられ通話手段が通話先から受信した音声を出力する音声出力手段と、第１の面に設けられ人体の近接を検出する近接検出手段と、通話手段が通話機能を実行している状況で近接検出手段が人体の近接を検出した場合に、所定の報知を実行する実行手段と、を含む。【選択図】図１
2012227655.tif 000002
【特許請求の範囲】
【請求項１】
通話機能を実行する通話手段を備えた端末装置であって、
筐体と、
前記筐体の第１の面に設けられた表示手段と、
前記筐体の面のうち前記第１の面の裏側の第２の面に設けられ前記通話手段が通話先から受信した音声を出力する音声出力手段と、
前記第１の面に設けられ人体の近接を検出する近接検出手段と、
前記通話手段が前記通話機能を実行している状況で前記近接検出手段が前記人体の近接を検出した場合に、所定の報知を実行する実行手段と、を含む端末装置。
【請求項２】
請求項１に記載の端末装置において、
前記所定の報知は、前記端末装置の使用方法が正しくないことを示す旨の報知である、端末装置。
【請求項３】
請求項１または２に記載の端末装置において、
前記所定の報知は、前記筐体を裏返すことをユーザに促す旨の報知である、端末装置。
【請求項４】
請求項１から３のいずれか１項に記載の端末装置において、
前記表示手段における操作を検出する操作検出手段をさらに含み、
前記実行手段は、さらに、前記通話手段が前記通話機能を実行している状況で前記操作検出手段によって検出された操作に基づいて、通話に関連する処理を実行する、端末装置。
【請求項５】
請求項４に記載の端末装置において、
前記通話に関連する処理は、通話音量の変更、通話の保留、通話の録音、および、通話の終了の少なくともいずれか１つである、端末装置。
【請求項６】
請求項１から５のいずれか１項に記載の端末装置において、
前記実行手段は、さらに、前記通話手段が前記通話機能を実行している状況で、通話先から送信された音声と前記通話先に送信する音声との少なくともいずれか一方に対して音声認識を実行し、当該音声認識の実行結果を、前記表示手段に表示する、端末装置。
【請求項７】
請求項６に記載の端末装置において、
前記実行手段は、前記表示手段の表示面のうち前記表示面の中央よりも上の表示領域に、前記音声認識の実行結果を表示する、端末装置。
【請求項８】
請求項１から７のいずれか１項に記載の端末装置において、
前記実行手段は、前記通話手段が前記通話機能を開始した後、前記表示手段の表示内容を前記表示手段の表示面と平行な回転軸で回転させる、端末装置。
【請求項９】
通話機能を実行する通話手段と、筐体と、前記筐体の第１の面に設けられた表示手段と、前記筐体の面のうち前記第１の面の裏側の第２の面に設けられ前記通話手段が通話先から受信した音声を出力する音声出力手段と、を備えた端末装置での報知方法であって、
前記第１の面に設けられ人体の近接を検出する近接検出ステップと、
前記通話手段が前記通話機能を実行している状況で前記人体の近接を検出した場合に、所定の報知を実行する実行ステップと、を含む報知方法。
【請求項１０】
通話機能を実行する通話手段と、筐体の第１の面に設けられた表示手段と、前記筐体の面のうち前記第１の面の裏側の第２の面に設けられ前記通話手段が通話先から受信した音声を出力する音声出力手段と、前記第１の面に設けられ人体の近接を検出する近接検出手段と、に接続されたコンピュータに、
前記通話手段が前記通話機能を実行している状況で前記人体の近接を検出した場合に、所定の報知を実行する実行手順を実行させるためのプログラム。
【発明の詳細な説明】
【技術分野】
【０００１】
本発明は、端末装置、報知方法およびプログラムに関し、特には、通話機能を有する端末装置、その報知方法およびプログラムに関する。
【背景技術】
【０００２】
現在広く普及している携帯電話機では、音声通話用のスピーカと表示部は、筐体の同一面に設けられている。このため、通話中にユーザの顔が表示部に接触して表示部が汚れるという不都合が生じる。
【０００３】
特許文献１には、通話中にユーザの顔が表示部に接触して表示部が汚れるという不都合を防止可能な携帯電話機が記載されている。
【０００４】
特許文献１に記載の携帯電話機では、表示部と操作部が筐体の同一面（以下「正面」と称する）に設けられ、筐体の正面の裏側の面（以下「背面」と称する）にスピーカとマイクが設けられている。このため、特許文献１に記載の携帯電話機では、通話時には、スピーカおよびマイクが設けられた背面が、ユーザの顔に接触することになる。よって、通話時にユーザの顔が正面側の表示部に触れて表示部が汚れるという不都合を防止可能になる。
【先行技術文献】
【特許文献】
【０００５】
【特許文献１】特開２００３−１８２６５号公報
【発明の概要】
【発明が解決しようとする課題】
【０００６】
特許文献１に記載の携帯電話機のユーザは、表示部とスピーカとが同一面に存在すると勘違いする可能性がある。この勘違いが生じると、ユーザは、この勘違いに気づくまで、正しい通話スタイルで携帯電話機を使用できない。このため、ユーザが正しくない通話スタイルで端末装置を使おうとしていることを、ユーザに知らせる機能が望まれるという課題があった。
【０００７】
本発明の目的は、上述した課題を解決可能な端末装置、報知方法およびプログラムを提供することである。
【課題を解決するための手段】
【０００８】
本発明の端末装置は、通話機能を実行する通話手段を備えた端末装置であって、筐体と、前記筐体の第１の面に設けられた表示手段と、前記筐体の面のうち前記第１の面の裏側の第２の面に設けられ前記通話手段が通話先から受信した音声を出力する音声出力手段と、前記第１の面に設けられ人体の近接を検出する近接検出手段と、前記通話手段が前記通話機能を実行している状況で前記近接検出手段が前記人体の近接を検出した場合に、所定の報知を実行する実行手段と、を含む。
【０００９】
本発明の報知方法は、通話機能を実行する通話手段と、筐体と、前記筐体の第１の面に設けられた表示手段と、前記筐体の面のうち前記第１の面の裏側の第２の面に設けられ前記通話手段が通話先から受信した音声を出力する音声出力手段と、を備えた端末装置での報知方法であって、前記第１の面に設けられ人体の近接を検出する近接検出ステップと、前記通話手段が前記通話機能を実行している状況で前記人体の近接を検出した場合に、所定の報知を実行する実行ステップと、を含む。
【００１０】
本発明のプログラムは、通話機能を実行する通話手段と、筐体の第１の面に設けられた表示手段と、前記筐体の面のうち前記第１の面の裏側の第２の面に設けられ前記通話手段が通話先から受信した音声を出力する音声出力手段と、前記第１の面に設けられ人体の近接を検出する近接検出手段と、に接続されたコンピュータに、前記通話手段が前記通話機能を実行している状況で前記人体の近接を検出した場合に、所定の報知を実行する実行手順を実行させる。
【発明の効果】
【００１１】
本発明によれば、ユーザが正しくない通話スタイルで端末装置を使おうとしていることを、ユーザに知らせることが可能になる。
【図面の簡単な説明】
【００１２】
【図１】本発明の第１実施形態の端末装置１を示したブロック図である。
【図２】端末装置１の正面、背面および断面を示した図である。
【図３】発信時の動作を説明するためのフローチャートである。
【図４】着信時の動作を説明するためのフローチャートである。
【図５】通話中の動作を説明するためのフローチャートである。
【図６】表示面４ａの表示内容を裏返しにする動作の一例を示した図である。
【図７】筐体２と通信部３と表示部４と通話スピーカ６と近接センサ１２と実行部１３とからなる端末装置を示した図である。
【図８】音声認識結果を表示する表示画面の一例を示した図である。
【図９】本発明の第２実施形態の端末装置１Ｘを示したブロック図である。
【図１０】端末装置１Ｘの正面および背面を示した図である。
【図１１】端末装置１Ｘの通話中の動作を説明するためのフローチャートである。
【発明を実施するための形態】
【００１３】
以下、本発明の実施形態を図面を参照して説明する。
【００１４】
（第１実施形態）
図１は、本発明の第１実施形態の端末装置１を示したブロック図である。図２（ａ）は、端末装置１の正面図である。図２（ｂ）は、端末装置１の背面図である。図２（ｃ）は、端末装置１の断面図である。
【００１５】
端末装置１は、例えば、携帯電話機またはスマートフォンである。
【００１６】
端末装置１は、筐体２と、通信部３と、表示部４と、タッチパネル５と、通話スピーカ６と、マイク７と、カメラ８と、操作部９と、電源端子１０と、電池１１と、近接センサ１２と、実行部１３と、を含む。
【００１７】
通信部３は、一般的に通話手段と呼ぶことができる。
【００１８】
通話部３は、アンテナ３ａを有し、通話先と音声のやり取りをする通話機能を実行する。通話先は、通話機能を有する機器（例えば、携帯電話機、スマートフォンまたは固定電話機）である。本実施形態では、通話機能は、発信時に発信処理を行う機能と着信時に着信処理を行う機能とを含むものとする。
【００１９】
表示部４は、一般的に表示手段と呼ぶことができる。
【００２０】
表示部４は、表示面４ａを有し、図２（ａ）に示すように筐体２の正面２ａに設けられている。正面２ａは、一般的に筐体２の第１の面と呼ぶことができる。表示部４は、種々の表示を行う。表示面４ａは、正面２ａの上部よりに設けられている。
【００２１】
タッチパネル５は、一般的に操作検出手段と呼ぶことができる。
【００２２】
タッチパネル５は、表示部４上に設けられている。タッチパネル５は、表示部４におけるユーザの操作、例えばユーザの指やタッチペン等の指示部１２での操作を検出する。
【００２３】
なお、タッチパネル５の代わりに、物体が近接した際に、その物体を検出する非接触（近接検出）操作パネルが用いられてもよい。
【００２４】
通話スピーカ６は、一般的に音声出力手段と呼ぶことができる。
【００２５】
通話スピーカ６は、図２（ｂ）に示すように筐体２の背面２ｂに設けられている。通話スピーカ６は、通信部３が通話先から受信した音声を出力する。
【００２６】
マイク７は、一般的に音声入力手段と呼ぶことができる。
【００２７】
マイク７は、図２（ｂ）に示すように筐体２の背面２ｂ側に設けられている。マイク７は、通信部３が通話先に送信する音声（ユーザの音声）を入力する。
【００２８】
カメラ８は、デジタルカメラである。操作部９は、音量調節スイッチ９ａと、ホームスイッチ９ｂと、メニュースイッチ９ｃと、バックスイッチ９ｄと、を含む。電源端子１０は、電池１１を充電するために用いられる。
【００２９】
近接センサ１２は、一般的に近接検出手段と呼ぶことができる。
【００３０】
近接センサ１２は、正面２ａへの人体の近接を検出する。本実施形態では、近接センサ１２は、正面２ａへの人体の顔の近接を検出する。
【００３１】
近接センサ１２は、図２（ａ）に示すように筐体２の正面２ａに表示部４と共に設けられている。本実施形態では、近接センサ１２は、正面２ａのうち、表示面４ａの中央よりも上の表示領域の横の部分に設けられている。
【００３２】
図２（ａ）に示した近接センサ１２の位置は、ユーザが手で端末装置１を保持している状況で、その手を近接センサ１２が検出せず、かつ、ユーザが正面２ａに通話スピーカ６があると勘違いして顔を表示面４ａに近接させた際にその顔を近接センサ１２が検出する位置となる。
【００３３】
なお、近接センサ１２の位置は、図２（ａ）に示した位置に限らず、ユーザが手で端末装置１を保持している状況で、その手を近接センサ１２が検出せず、かつ、ユーザが顔を表示面４ａに近接させた際にその顔を近接センサ１２が検出する位置であればよい。
【００３４】
近接センサ１２としては、例えば、接触センサ、温度センサまたは照度センサが用いられる。接触センサが近接センサ１２として用いられる場合、接触センサは、表示面４ａに接触した顔を検出する。温度センサが近接センサ１２として用いられる場合、温度センサは、表示面４ａに近接する顔の温度を検出することによって、表示面４ａに近接する顔を検出する。照度センサが近接センサ１２として用いられる場合、照度センサは、表示面４ａに近接する顔にて生じる影を検出することによって、表示面４ａに近接する顔を検出する。
【００３５】
実行部１３は、一般的に実行手段と呼ぶことができる。
【００３６】
実行部１３は、例えば、通話部３が通話機能を実行している状況で近接センサ１２が人体の近接を検出した場合、振動を行って、端末装置１の使用方法が正しくないことを示す旨の報知を実行する。端末装置１の使用方法が正しくないことを表す旨の報知は、所定の報知の一例である。
【００３７】
なお、実行部１３は、表示部４または通話スピーカ６を用いて、筐体２を裏返すことをユーザに促す旨の出力（音声出力または表示出力）、または、端末装置１の使用方法が正しくないことを表す旨の出力（音声出力または表示出力）を、所定の報知として実行してもよい。
【００３８】
実行部１３は、振動部１３ａと制御部１３ｂと、を含む。振動部１３ａは、振動を行う。制御部１３ｂは、端末装置１の動作を制御する。
【００３９】
次に、動作を説明する。
【００４０】
図３は、発信時の動作を説明するためのフローチャートである。図４は、着信時の動作を説明するためのフローチャートである。図５は、通話中の動作を説明するためのフローチャートである。
【００４１】
まず、図３を参照して、発信時の動作を説明する。
【００４２】
タッチパネル５が、発信先の電話番号とオフフック操作（表示面４ａ上のオフフックキー（不図示）への操作）とを検出すると（ステップＳ３０１）、制御部１３ｂは、通信部３の通話機能を実行して発信処理を行う（ステップＳ３０２）。
【００４３】
続いて、制御部１３ｂは、発信中であることを表す発信画面を表示面４ａに表示する（ステップＳ３０３）。
【００４４】
続いて、制御部１３ｂは、発信画面を表示してから第１時間（例えば１秒）経過後に、表示面４ａの表示内容（この場合、発信画面）を表示面４ａと平行な回転軸で回転させて、表示面４ａの表示内容を裏返しにする（ステップＳ３０４）。なお、第１時間は、１秒に限らず適宜変更可能である。
【００４５】
図６は、表示面４ａの表示内容を裏返しにする動作の一例を示した図である。
【００４６】
図６では、図６（ａ）に示した発信画面が、図４（ｂ）、図４（ｃ）、図４（ｄ）に示した順で回転していく。
【００４７】
なお、制御部１３ｂは、裏返しにした表示内容を、第２時間（例えば３秒）経過後に、裏返す前の表示内容に戻してもよい。なお、第２時間は、３秒に限らず適宜変更可能である。
【００４８】
その後、通話先が応答すると（ステップＳ３０５）、制御部１３ｂは、後述する通話中の動作を行う（ステップＳ３０６）。
【００４９】
なお、制御部１３ｂは、ステップＳ３０２とステップＳ３０５との間に、近接センサ１２が人体（顔）の近接を検出したか否かを定期的に判別してもよい。なお、ユーザが正面２ａに通話スピーカ６があると勘違いして顔を表示面４ａに近接させると、近接センサ１２は、顔の近接を検出することになる。
【００５０】
近接センサ１２が人体（顔）の近接を検出した場合には、制御部１３ｂは、振動部１３ａを振動させて端末装置１の使用方法が正しくないことを表す旨を報知し、かつ、表示部４を用いて「端末を裏返して通話してください」という表示出力を実行する。
【００５１】
次に、図４を参照して、着信時の動作を説明する。
【００５２】
通信部３が着信を検出すると（ステップＳ４０１）、制御部１３ｂは、通信部３の通話機能を実行して着信処置を行う（ステップＳ４０２）。
【００５３】
続いて、制御部１３ｂは、通話スピーカ６や振動部１３ａを用いて、音や振動で着信を報知する（ステップＳ４０３）。
【００５４】
続いて、制御部１３ｂは、表示面４ａに着信を表す着信画面を表示する（ステップＳ４０４）。なお、着信画面は、発信画面と同一でもよいし異なってもよい。
【００５５】
その後、タッチパネル５がオフフック操作を検出すると（ステップＳ４０５）、制御部１３ｂは、オフフック操作が検出されてから第３時間（例えば１秒）経過後に、表示面４ａの表示内容（この場合、着信画面）を表示面４ａと平行な回転軸で回転させて、表示面４ａの表示内容を裏返しにする（ステップＳ４０６）。なお、第３時間は、１秒に限らず適宜変更可能である。
【００５６】
その後、制御部１３ｂは、後述する通話中の動作を行う（ステップＳ４０７）。
【００５７】
次に、図５を参照して、通話中の動作を説明する。
【００５８】
制御部１３ｂは、通話中の動作を開始すると、通話スピーカ６とマイク７をオンにし（ステップＳ５０１）、表示面４ａに通話中を表す通話中画面を表示する（ステップＳ５０２）。
【００５９】
続いて、制御部１３ｂは、近接センサ１２が表示部４側（正面２ａ）への人体（顔）の近接を検出したかを判別する（ステップＳ５０３）。
【００６０】
近接センサ１２が人体（顔）の近接を検出した場合、制御部１３ｂは、振動部１３ａを振動させて端末装置１の使用方法が正しくないことを表す旨を報知し、かつ、表示部４を用いて「端末を裏返して通話してください」という表示出力を実行する（ステップＳ５０４）。
【００６１】
なお、制御部１３ｂは、ステップＳ５０４で、通話スピーカ６を用いて「端末を裏返して通話してください」という音声出力を実行してもよい。
【００６２】
この場合、制御部１３ｂは、「端末を裏返して通話してください」という音声出力を、通話用に設定されている音量よりも大きい音量で、通話スピーカ６から報知してもよい。
【００６３】
また、端末装置１が、通話スピーカ６の他にハンズフリー用スピーカを備え、制御部１３ｂがこのハンズフリー用スピーカを用いて、「端末を裏返して通話してください」という音声出力を報知してもよい。
「端末を裏返して通話してください」という表示出力および音声出力は、筐体２を裏返すことをユーザに促す旨の報知の一例であり、端末装置の使用方法が正しくないことを示す旨の報知の一例でもある。
【００６４】
制御部１３ｂは、「端末を裏返して通話してください」という表示出力および音声出力の両方を実行してもよいし、いずれか一方を実行してもよいし、両方とも実行しなくてもよい。
【００６５】
また、制御部１３ｂは、表示部４を用いて「端末装置１の使用方法が正しくありません」という表示出力を実行してもよいし、表示部４を用いて発光や点滅を実行してもよい。これら表示出力は、振動部１３ａの振動と共に、端末装置１の使用方法が正しくないことを表す旨の出力の一例である。
【００６６】
なお、制御部１３ｂは、近接センサ１２が人体（顔）の近接を検出した後、一定時間（例えば２秒）近接センサ１２が人体（顔）の近接を検出しない状態が継続したら、端末装置１の使用方法が正しくないことを表す旨の報知や筐体２を裏返すことをユーザに促す旨の報知を停止する。
【００６７】
また、端末装置１が報知停止スイッチを有する場合、制御部１３ｂは、報知停止スイッチの操作が検出された際に、端末装置１の使用方法が正しくないことを表す旨の報知や筐体２を裏返すことをユーザに促す旨の報知を停止してもよい。
【００６８】
また、端末装置１に筐体２の回転を検出する回転検出手段としての姿勢センサがさらに設けられ、端末装置１の使用方法が正しくないことを表す旨の報知や筐体２を裏返すことをユーザに促す旨の報知が行われている状況で、姿勢センサが筐体２の回転を検出した場合に、制御部１３ｂは、それらの報知を停止してもよい。
【００６９】
制御部１３ｂは、ステップＳ５０４を実行すると、または、ステップＳ５０３で近接センサ１２が顔の近接を検出していないと、ステップＳ５０５を実行する。
【００７０】
ステップＳ５０５では、制御部１３ｂは、音量調節スイッチ９ａがユーザの操作を検出したかを判断する。
【００７１】
音量調節スイッチ９ａがユーザの操作を検出した場合、制御部１３ｂは、音量調節スイッチ９ａの検出結果に従って通話スピーカ６の音量を調節する（ステップＳ５０６）。
【００７２】
制御部１３ｂは、ステップＳ５０６を実行すると、または、ステップＳ５０５で音量調節スイッチ９ａがユーザの操作を検出していないと、ステップＳ５０７を実行する。
【００７３】
ステップＳ５０７では、制御部１３ｂは、タッチパネル５がオンフック操作（表示面４ａ上のオンフックキー（不図示）への操作）を検出したかを判断する。
【００７４】
タッチパネル５がオンフック操作を検出していない場合、制御部１３ｂは、処理をステップＳ５０３に戻す。
【００７５】
一方、タッチパネル５がオンフック操作を検出した場合、制御部１３ｂは、通信部３の通話機能を終了する（ステップＳ５０８）。
【００７６】
なお、制御部１３ｂは、通話中画面を表示してから第４時間（例えば１秒）経過後に、表示面４ａの表示内容（この場合、通話中画面）を表示面４ａと平行な回転軸で回転させて、表示面４ａの表示内容を裏返しにしてもよい。なお、第４時間は、１秒に限らず適宜変更可能である。
【００７７】
次に、本実施形態の効果を説明する。
【００７８】
本実施形態によれば、表示部４は筐体２の正面２ａに設けられ、通話スピーカ６は筐体２の背面２ｂに設けられ、近接センサ１２は筐体２の正面２ａに設けられる。実行部１３は、通信部３が通話機能を実行している状況で近接センサ１２が人体の近接を検出した場合に、振動等の所定の報知を実行する。
【００７９】
このため、実行部１３は、端末装置１が誤った通話スタイルで使用されている場合に、振動等の所定の報知を実行することによって、ユーザが正しくない通話スタイルで端末装置１を使おうとしていることを、ユーザに知らせることが可能になる。
【００８０】
なお、この効果は、筐体２と通信部３と表示部４と通話スピーカ６と近接センサ１２と実行部１３とからなる端末装置でも奏する。図７は、筐体２と通信部３と表示部４と通話スピーカ６と近接センサ１２と実行部１３とからなる端末装置を示した図である。
【００８１】
また、本実施形態では、実行部１３は、端末装置１の使用方法が正しくないことを表す旨の報知を行う。この場合、ユーザに正しくない通話スタイルで通話を行おうとしていることを報知することができる。
【００８２】
本実施形態では、実行部１３は、筐体２を裏返すことをユーザに促す旨の報知を行う。この場合、ユーザに正しい通話スタイルを報知することができる。
【００８３】
本実施形態では、近接センサ１２は、正面２ａへの人体の顔の近接を検出する。この場合、ユーザが正しくない通話スタイルで通話を行おうとしていることを高い精度で検出することが可能になる。
【００８４】
本実施形態では、実行部１３は、通話機能を開始した後に、表示部４の表示内容を表示面４ａと平行な回転軸で回転させる。この場合、通話するときには表示面４ａを顔とは反対側（外側）にする、ということをユーザに直感的に報知することができる。
【００８５】
なお、上記実施形態において、制御部１３ｂに音声認識機能を追加し、通信部３が通信機能を実行している状況で、制御部１３ｂが、通話先から送信された音声（通話相手の音声）と通話先に送信する音声（ユーザの音声）との少なくともいずれか一方に対して音声認識を実行し、その音声認識の実行結果を、表示部４に表示してもよい。
【００８６】
図８は、音声認識結果を表示する表示画面の一例を示した図である。
【００８７】
この場合、表示面４ａは、ユーザの顔とは反対側（外側）を向いているので、ユーザの近くにいる人にも通話内容を報知することができる。
【００８８】
なお、音声認識結果の表示位置は、図８に示した位置に限らず適宜変更可能であり、例えば、表示面４ａのうち表示面４ａの中央よりも上の表示領域内でもよい。この場合、音声認識結果が、端末装置１を持っているユーザの手で隠れにくくなる。さらに、音声認識結果の表示位置は、表示面４ａのうち表示面４ａの中央よりも上の表示領域内であって他の表示（例えば、スイッチ）と重ならない位置でもよい。この場合、音声認識結果が見やすくなる。
【００８９】
また、制御部１３ｂは、通話相手の音声認識結果とユーザの音声認識結果とを、例えば、表示色を分けたりフォントを変えたりすることによって区別して表示してもよい。
【００９０】
また、端末装置１内の各部は、専用の回路等のハードウェアにて構成されてもよい。
【００９１】
また、端末装置１内の実行部１３は、コンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行して、実行部１３として機能する。記録媒体は、ＣＤ−ＲＯＭに限らず適宜変更可能である。
【００９２】
（第２実施形態）
図９は、本発明の第２実施形態の端末装置１Ｘを示したブロック図である。図１０（ａ）は、端末装置１Ｘの正面図である。図１０（ｂ）は、端末装置１Ｘの背面図である。なお、図９および１０において、図１または２に示したものと同一構成のものには同一符号を付してある。
【００９３】
第２実施形態の端末装置１Ｘと第１実施形態の端末装置１との主な相違点は、第２実施形態の端末装置１Ｘが、実行部１３の代わりに実行部１３Ｘを有し、音量調節スイッチ９ａを有さず、音量調節スイッチ９ａに相当する音量スイッチ４ａ１と、保留スイッチ４ａ２と、録音スイッチ４ａ３と、音声認識スイッチ４ａ４とを、表示部４に表示し、通話時における表示部４への操作によって種々の動作を制御する点である。
【００９４】
以下、第１実施形態の端末装置１との相違点を中心に、第２実施形態の端末装置１Ｘを説明する。
【００９５】
端末装置１Ｘは、例えば、携帯電話機またはスマートフォンである。
【００９６】
実行部１３Ｘは、一般的に実行手段と呼ぶことができる。実行部１３Ｘは、実行部１３が有する機能に加えて、例えば、通信部３が通話機能を実行している状況でタッチパネル５によって検出された操作に基づいて、通話に関する処理（例えば、通話音量の変更、通話の保留、通話の録音、および、通話の終了の少なくともいずれか１つ）を実行する。
【００９７】
実行部１３Ｘは、振動部１３ａと制御部１３ｂＸとを有する。
【００９８】
制御部１３ｂＸは、制御部１３ｂが有する機能を有し、また、音声認識機能も有し、端末装置１Ｘの種々の動作を制御する。
【００９９】
次に、端末装置１Ｘの動作を説明する。
【０１００】
なお、端末装置１Ｘの発信時の動作および着信時の動作は、それぞれ、端末装置１の発信時の動作および着信時の動作と同様であるので説明を省略する。
【０１０１】
図１１は、端末装置１Ｘの通話中の動作を説明するためのフローチャートである。
なお、図１１において、図５に示したものと同一の処理には同一符号を付してある。以下では、図５に示した処理と異なる処理について説明する。
【０１０２】
制御部１３ｂＸは、ステップＳ５０４を実行すると、または、ステップＳ５０３で近接センサ１２が顔の近接を検出していないと、ステップＳ１１０１を実行する。
【０１０３】
ステップＳ１１０１では、制御部１３ｂＸは、タッチパネル５が音量スイッチ４ａ１に対するユーザの操作を検出したかを判別する。
【０１０４】
タッチパネル５が音量スイッチ４ａ１に対するユーザの操作を検出した場合、制御部１３ｂＸは、音量スイッチ４ａ１に対するユーザの操作に従って通話スピーカ６の音量を調節する（ステップＳ１１０２）。例えば、タッチパネル５が音量スイッチ４ａ１に対するユーザの上向きのフリック操作を検出した場合、制御部１３ｂＸは、通話スピーカ６からの音量を大きくし、タッチパネル５が音量スイッチ４ａ１に対するユーザの下向きのフリック操作を検出した場合、制御部１３ｂＸは、通話スピーカ６からの音量を小さくする。
【０１０５】
制御部１３ｂＸは、ステップＳ１１０２を実行すると、または、ステップＳ１１０１でタッチパネル５が音量スイッチ４ａ１に対するユーザの操作を検出していないと、ステップＳ１１０３を実行する。
【０１０６】
ステップＳ１１０３では、制御部１３ｂＸは、タッチパネル５が音声認識スイッチ４ａ４に対するユーザの音声認識開始操作を検出したかを判別する。なお、制御部１３ｂＸは、音声認識処理が実行されていない状況での音声認識スイッチ４ａ４に対するユーザのタッチ操作を、音声認識開始操作と判別する。
【０１０７】
タッチパネル５が音声認識スイッチ４ａ４に対するユーザの音声認識開始操作を検出した場合、制御部１３ｂＸは、マイク７からのユーザの音声と、通信部３が通話先から受信した音声と、のそれぞれについて、音声認識処理を実行しつつ、それらの音声認識結果を表示面４ａに表示する（ステップＳ１１０４）。
【０１０８】
なお、制御部１３ｂＸは、マイク７からのユーザの音声と、通信部３が通話先から受信した音声と、のいずれか一方について、音声認識処理を実行しつつ、その音声認識結果を表示面４ａに表示してもよい。
【０１０９】
また、制御部１３ｂＸは、音声認識結果の表示位置を、例えば、表示面４ａのうち表示面４ａの中央よりも上の表示領域内であって他の表示と重ならない位置としてもよい。
【０１１０】
また、制御部１３ｂは、通話相手の音声認識結果とユーザの音声認識結果とを、例えば、表示色を分けたりフォントを変えたりすることによって区別して表示してもよい。
【０１１１】
制御部１３ｂＸは、ステップＳ１１０４を実行すると、または、ステップＳ１１０３でタッチパネル５が音声認識スイッチ４ａ４に対するユーザの音声認識開始操作を検出していないと、ステップＳ１１０５を実行する。
【０１１２】
ステップＳ１１０５では、制御部１３ｂＸは、タッチパネル５が音声認識スイッチ４ａ４に対するユーザの音声認識終了操作を検出したかを判別する。なお、制御部１３ｂＸは、音声認識処理が実行されている状況での音声認識スイッチ４ａ４に対するユーザのタッチ操作を、音声認識終了操作と判別する。
【０１１３】
タッチパネル５が音声認識スイッチ４ａ４に対するユーザの音声認識終了操作を検出した場合、制御部１３ｂＸは、音声認識処理を終了する（ステップＳ１１０６）。
【０１１４】
制御部１３ｂＸは、ステップＳ１１０６を実行すると、または、ステップＳ１１０５でタッチパネル５が音声認識スイッチ４ａ４に対するユーザの音声認識終了操作を検出していないと、ステップＳ１１０７を実行する。
【０１１５】
ステップＳ１１０７では、制御部１３ｂＸは、タッチパネル５が保留スイッチ４ａ２に対するユーザの通話保留操作を検出したかを判別する。なお、制御部１３ｂＸは、通話保留が実行されていない状況での保留スイッチ４ａ２に対するユーザのタッチ操作を、通話保留操作と判別する。
【０１１６】
タッチパネル５が保留スイッチ４ａ２に対するユーザの通話保留操作を検出した場合、制御部１３ｂＸは、通話の保留を実行する（ステップＳ１１０８）。
【０１１７】
制御部１３ｂＸは、ステップＳ１１０８を実行すると、または、ステップＳ１１０７でタッチパネル５が保留スイッチ４ａ２に対するユーザの通話保留操作を検出していないと、ステップＳ１１０９を実行する。
【０１１８】
ステップＳ１１０９では、制御部１３ｂＸは、タッチパネル５が保留スイッチ４ａ２に対するユーザの通話保留解除操作を検出したかを判別する。なお、制御部１３ｂＸは、通話保留が実行されている状況での保留スイッチ４ａ２に対するユーザのタッチ操作を、通話保留解除操作と判別する。
【０１１９】
タッチパネル５が保留スイッチ４ａ２に対するユーザの通話保留解除操作を検出した場合、制御部１３ｂＸは、通話の保留を解除する（ステップＳ１１１０）。
【０１２０】
制御部１３ｂＸは、ステップＳ１１１０を実行すると、または、ステップＳ１１０９でタッチパネル５が保留スイッチ４ａ２に対するユーザの通話保留解除操作を検出していないと、ステップＳ１１１１を実行する。
【０１２１】
ステップＳ１１１１では、制御部１３ｂＸは、タッチパネル５が録音スイッチ４ａ３に対するユーザの録音開始操作を検出したかを判別する。なお、制御部１３ｂＸは、通話録音が実行されていない状況での録音スイッチ４ａ３に対するユーザのタッチ操作を、録音開始操作と判別する。
【０１２２】
タッチパネル５が録音スイッチ４ａ３に対するユーザの録音開始操作を検出した場合、制御部１３ｂＸは、通話の録音を実行する（ステップＳ１１１２）。
【０１２３】
制御部１３ｂＸは、ステップＳ１１１２を実行すると、または、ステップＳ１１１１でタッチパネル５が録音スイッチ４ａ３に対するユーザの録音開始操作を検出していないと、ステップＳ１１１３を実行する。
【０１２４】
ステップＳ１１１３では、制御部１３ｂＸは、タッチパネル５が録音スイッチ４ａ３に対するユーザの録音終了操作を検出したかを判別する。なお、制御部１３ｂＸは、通話録音が実行されている状況での録音スイッチ４ａ３に対するユーザのタッチ操作を、録音終了操作と判別する。
【０１２５】
タッチパネル５が録音スイッチ４ａ３に対するユーザの録音終了操作を検出した場合、制御部１３ｂＸは、通話の録音を終了する（ステップＳ１１１４）。
【０１２６】
制御部１３ｂＸは、ステップＳ１１１４を実行すると、または、ステップＳ１１１３でタッチパネル５が録音スイッチ４ａ３に対するユーザの録音終了操作を検出していないと、ステップＳ５０７を実行する。
【０１２７】
次に、本実施形態の効果を説明する。
【０１２８】
本実施形態によれば、タッチパネル５は、表示部４における操作を検出する。実行部１３Ｘは、通信部３が通話機能を実行している状況でタッチパネル５によって検出された操作に基づいて、通話に関する処理を実行する。
【０１２９】
このため、通話中に、ユーザは端末装置１Ｘを握ったまま、さらに言えば、通話のスタイルを維持したまま、通話に関連する処理を端末装置１Ｘに実行させることが可能になる。
【０１３０】
本実施形態では、通話に関する処理は、通話音量の変更、通話の保留、通話の録音、および、通話の終了の少なくともいずれか１つである。この場合、通話中に、ユーザは通話のスタイルを維持したまま、通話音量の変更、通話の保留、通話の録音、および、通話の終了の少なくともいずれか１つを端末装置１Ｘに実行させることが可能になる。
【０１３１】
本実施形態では、実行部１３Ｘは、通信部３が通話機能を実行している状況でタッチパネル５によって検出された操作に基づいて、音声認識の実行を制御する。この場合、通話中に、ユーザは通話のスタイルを維持したまま、音声認識の実行（開始と終了）を端末装置１Ｘに実行させることが可能になる。
【０１３２】
なお、上記実施形態において、実行部１３Ｘは、通信部３が通話機能を実行している状況でタッチパネル５によって検出された操作に基づいて、表示部４の表示のオンオフを制御してもよい。
【０１３３】
例えば、表示部４が表示のオンオフスイッチを表示し、タッチパネル５がそのオンオフスイッチへのユーザのタッチ操作を検出し、実行部１３Ｘが、その検出結果に従って、表示部４の表示のオンオフを制御する。
【０１３４】
この場合、通話中に、ユーザは通話のスタイルを維持したまま、表示のオンオフを端末装置１Ｘに実行させることが可能になる。よって、第三者に見せたくない表示（例えば、個人情報に係わる表示）が実行されること防止できる。また、表示部４の表示をオフするための操作として、タッチパネル５を左右にこする操作が用いられると、タッチパネル５を左右にこする操作が、表示をふき取って消す動作と似たものになるため、表示部４の表示をオフするための操作が直感的にわかりやすい操作となる。
【０１３５】
また、上記実施形態において、タッチパネル５は、表示部４における操作の動きを検出し、実行部１３Ｘは、その操作の動きに基づいて、通話に関連する処理を実行してもよい。
【０１３６】
例えば、実行部１３Ｘは、タッチパネル５が上方向へのフリックを検出した場合に、通話スピーカ６の音量を大きくし、タッチパネル５が下方向へのフリックを検出した場合に、通話スピーカ６の音量を小さくする。
【０１３７】
この場合、実行部１３Ｘは、通話に関連する処理を実行するために、表示部４上の操作位置ではなく、操作の動き（移動）を用いる。したがって、ユーザは、タッチパネル５に対する操作の動き（上方向、下方向、右方向または左方向へのフリックや、タップ）を適宜変更することで、通話に関連する処理を実行することが可能になる。よって、ユーザは、通話に関連する処理を入力するための操作を行う際、表示部４上の操作スイッチ（ソフトウェアスイッチ）を見ることなく、その入力操作を行うことが可能になる。
【０１３８】
また、上記実施形態において、実行部１３Ｘは、通信部３が通話機能を実行している状況で、表示面４ａのうち表示面４ａの中央よりも上の表示領域に、音量スイッチ４ａ１や保留スイッチ４ａ２や録音スイッチ４ａ３や音声認識スイッチ４ａ４等の操作スイッチを表示してもよい。この場合、操作スイッチが、端末装置１Ｘを持っているユーザの手で隠れ難くなる。
【０１３９】
また、上記実施形態において、実行部１３は、通信部３が通話機能を実行している状況でタッチパネル５がユーザの操作を検出した場合、その操作が検出された旨の出力（例えば、振動や音声出力）を、振動部１３ａや通話スピーカ６を用いて報知してもよい。この場合、ユーザは、タッチパネル５がユーザの操作を検出したことを容易に認識可能になる。
なお、実行部１３は、操作が検出された旨の音声出力を受話音に合成して通話スピーカ６から報知してもよい。この場合、ユーザにのみ操作が検出された旨の出力を知らせることが可能になる。
【０１４０】
また、上記各実施形態において、実行部１３または１３Ｘは、通信部３が通話機能を実行している状況ででは、表示部４の表示をオフにしてもよい。この場合、ユーザが確認できない表示部４の表示が第三者に見られることを防止できる。
【０１４１】
また、上記各実施形態において、筐体２の回転を検出する回転検出手段としての姿勢センサがさらに設けられ、実行部１３または１３Ｘは、着信時において姿勢センサが筐体２の回転を検出した場合に、オフフック処理を実行してもよい。この場合、ユーザが電話に出るために筐体２を回転する動作が、オフフック処理を兼ねることになる。よって、着信時のユーザの操作を簡略化することが可能になる。
【０１４２】
また、端末装置１Ｘ内の各部は、回路等のハードウェアにて構成されてもよい。
【０１４３】
また、端末装置１Ｘ内の実行部１３Ｘは、コンピュータにて実現されてもよい。この場合、コンピュータは、コンピュータにて読み取り可能な記録媒体に記録されたプログラムを読込み実行して、実行部１３Ｘとして機能する。
【０１４４】
以上説明した各実施形態において、図示した構成は単なる一例であって、本発明はその構成に限定されるものではない。
【０１４５】
上記各実施形態の一部又は全部は、以下の付記のようにも記載されうるが、以下には限られない。
【０１４６】
（付記１）通話機能を実行する通話手段を備えた端末装置であって、
筐体と、
前記筐体の第１の面に設けられた表示手段と、
前記筐体の面のうち前記第１の面の裏側の第２の面に設けられ前記通話手段が通話先から受信した音声を出力する音声出力手段と、
前記第１の面に設けられ人体の近接を検出する近接検出手段と、
前記通話手段が前記通話機能を実行している状況で前記近接検出手段が前記人体の近接を検出した場合に、所定の報知を実行する実行手段と、を含む端末装置。
【０１４７】
（付記２）付記１に記載の端末装置において、
前記所定の報知は、前記端末装置の使用方法が正しくないことを示す旨の報知である、端末装置。
【０１４８】
（付記３）付記１または２に記載の端末装置において、
前記所定の報知は、前記筐体を裏返すことをユーザに促す旨の報知である、端末装置。
【０１４９】
（付記４）付記１から３のいずれか１項に記載の端末装置において、
前記近接検出手段は、前記第１の面への人体の顔の近接を検出する、端末装置。
【０１５０】
（付記５）付記１から４のいずれか１項に記載の端末装置において、
前記表示手段における操作を検出する操作検出手段をさらに含み、
前記実行手段は、さらに、前記通話手段が前記通話機能を実行している状況で前記操作検出手段によって検出された操作に基づいて、通話に関連する処理を実行する、端末装置。
【０１５１】
（付記６）付記５に記載の端末装置において、
前記通話に関連する処理は、通話音量の変更、通話の保留、通話の録音、および、通話の終了の少なくともいずれか１つである、端末装置。
【０１５２】
（付記７）付記１から６のいずれか１項に記載の端末装置において、
前記実行手段は、さらに、前記通話手段が前記通話機能を実行している状況で、通話先から送信された音声と前記通話先に送信する音声との少なくともいずれか一方に対して音声認識を実行し、当該音声認識の実行結果を、前記表示手段に表示する、端末装置。
【０１５３】
（付記８）付記７に記載の端末装置において、
前記実行手段は、前記表示手段の表示面のうち前記表示面の中央よりも上の表示領域に、前記音声認識の実行結果を表示する、端末装置。
【０１５４】
（付記９）付記７または８に記載の端末装置において、
前記表示手段における操作を検出する操作検出手段をさらに含み、
前記実行手段は、前記通話手段が前記通話機能を実行している状況で前記操作検出手段によって検出された操作に基づいて、前記音声認識の実行を制御する、端末装置。
【０１５５】
（付記１０）付記１から９のいずれか１項に記載の端末装置において、
前記実行手段は、前記通話手段が前記通話機能を開始した後、前記表示手段の表示内容を前記表示手段の表示面と平行な回転軸で回転させる、端末装置。
【０１５６】
（付記１１）通話機能を実行する通話手段と、筐体と、前記筐体の第１の面に設けられた表示手段と、前記筐体の面のうち前記第１の面の裏側の第２の面に設けられ前記通話手段が通話先から受信した音声を出力する音声出力手段と、を備えた端末装置での報知方法であって、
前記第１の面に設けられ人体の近接を検出する近接検出ステップと、
前記通話手段が前記通話機能を実行している状況で前記人体の近接を検出した場合に、所定の報知を実行する実行ステップと、を含む報知方法。
【０１５７】
（付記１２）通話機能を実行する通話手段と、筐体の第１の面に設けられた表示手段と、前記筐体の面のうち前記第１の面の裏側の第２の面に設けられ前記通話手段が通話先から受信した音声を出力する音声出力手段と、前記第１の面に設けられ人体の近接を検出する近接検出手段と、に接続されたコンピュータに、
前記通話手段が前記通話機能を実行している状況で前記人体の近接を検出した場合に、所定の報知を実行する実行手順を実行させるためのプログラム。
【符号の説明】
【０１５８】
１、１Ｘ  端末装置
２        筐体
３        通信部
４        表示部
５        タッチパネル
６        通話スピーカ
７        マイク
８        カメラ
９        操作部
１０        電源端子
１１        電池
１２        近接センサ
１３、１３Ｘ  実行部
１３ａ      振動部
１３ｂ、１３ｂＸ  制御部
【図１】
2012227655.tif 000003
【図２】
2012227655.tif 000004
【図３】
2012227655.tif 000005
【図４】
2012227655.tif 000006
【図５】
2012227655.tif 000007
【図６】
2012227655.tif 000008
【図７】
2012227655.tif 000009
【図８】
2012227655.tif 000010
【図９】
2012227655.tif 000011
【図１０】
2012227655.tif 000012
【図１１】
2012227655.tif 000013